(57)【特許請求の範囲】
【請求項１】
霧状の液をガス流に乗せて配送・散布する噴霧製品であって、
液を噴射する液噴孔を備えた液噴射機構と、前記液噴射機構から噴射された霧状の液を配送するためのガスを噴射する前記液噴孔とは別のガス噴孔を備えたガス噴射機構とからなり、
前記ガス噴射機構が、ガスを充填したガス容器と、ガス噴孔とガス容器の間に介在されるガス用バルブとを備え、
液噴射機構が、原液を充填した液容器と、液噴孔と液容器との間に介在される液用バルブとを備え、
ガス用バルブと液用バルブのうち一方が操作されたときに同時に他方を操作するための連動機構を備え、
前記ガス容器の中に液噴射機構が収容されており、
前記ガス噴射機構のガスの圧力により液噴射機構の液を加圧し、その圧力で液を噴射する噴霧製品。
【請求項２】
前記ガス噴射機構から噴射されるガス流速の初速が音速である請求項１記載の噴霧製品。
【請求項３】
前記ガス用バルブおよび液用バルブを操作する押しボタンを備えており、
その押しボタンに、ガスを噴射するガス噴孔が複数個設けられ、液を噴射する液噴孔がそれらのガス噴孔の間に設けられている請求項１記載の噴霧製品。
【請求項４】
前記液容器が可塑性のある内袋である請求項１記載の噴霧製品。
【請求項５】
前記液容器に、その容積を可変とするピストンが設けられており、そのピストンがガス容器と液容器との間で圧力伝達が可能な隔壁とされている請求項１記載の噴霧製品。
【請求項６】
前記ガス用バルブは上方に付勢されたステムにより通常は閉じられ、下方に操作することにより開けられ、
前記液用バルブは上方に付勢された弁体により通常は閉じられ、下方に操作されることにより開けられ、
前記連動機構が、ステムを下方に操作することにより、そのステムの下端が液用バルブの弁体を下方に操作するものである請求項１記載の噴霧製品。
【請求項７】
前記液噴射機構の液通路の一部に噴射量を抑制する機構を設けた請求項１記載の噴霧製品。
【請求項８】
前記液噴口に原液用ノズルが設けられており、
その原液用ノズルの先端中央に噴口が形成され、
その噴口の内部側に液流れを案内する突起ないし溝が形成され、それら突起ないし溝が渦流れを生じさせるべく中心部がずれた放射状に配置されている請求項１記載の噴霧製品。
【請求項９】
前記ガス容器に充填されているガスが液化ガスである、請求項１、２、３、４、５、６、７あるいは８のいずれかに記載の噴霧製品。
【発明の詳細な説明】
【０００１】
【発明の属する技術分野】
本発明は噴霧製品、とくに微量な原液を弱い勢いで大気中に放散するのに適する噴霧製品に関する。
【０００２】
【従来の技術】
薬液などの原液を空気中に微粒子の形態で噴霧する装置として、エアゾール製品が知られている。このものはたとえば原液に液化ガスを溶解または分散させて容器に充填しておき、バルブを操作して噴孔から原液を液化ガスと共に噴射するものである。また、圧縮ガスの圧力により、原液を噴射するタイプのエアゾール製品も知られている。
【０００３】
他方、医療器具として使用されるネブライザーは、ガスボンベなどに充填した圧縮空気や酸素ガス、あるいはガス発生器から発生された酸素ガスなどにより薬剤を拡散させ、加熱装置により発生させた水蒸気と共に、前記ガスの気流に乗せて薬剤を噴射するようにしている。その場合、薬剤や水を振動板で霧化することもある。このものは比較的微量な薬液を弱い勢いで放散することができる。
【０００４】
【発明が解決しようとする課題】
前記液化ガスを使用したエヤゾール製品では、使用温度により内圧が大きく変動するため、一定の噴射状態が得にくいという問題がある。たとえばブタンおよびプロパンの飽和圧力（単位ＭＰａ）は、表１に示すように、温度が上昇するにつれて高くなる。また原液は液化ガスと共に噴射されるので、噴射の勢いが強い。
【表１】
0004343314.tif 000002
【０００５】
他方、圧縮ガスを使用した噴霧製品の場合は、使用ごとに圧力が大きく低下し、それにより噴射量も大きく減少する。またネブライザーは比較的弱い勢いで微量な薬剤を放散させることができるが、ガスを供給するための特殊な装置が必要である。
【０００６】
本発明は簡単な装置により、長時間にわたって安定して、微量な原液をソフトに噴射できるようにすることを技術課題としている。
【０００７】
【課題を解決するための手段】
本発明の噴霧製品（請求項１）は、霧状の液をガス流に乗せて配送・散布する噴霧製品であって、液を噴射する液噴孔を備えた液噴射機構と、前記液噴射機構から噴射された霧状の液を配送するためのガスを噴射する前記液噴孔とは別のガス噴孔を備えたガス噴射機構とからなり、前記ガス噴射機構が、ガスを充填したガス容器と、ガス噴孔とガス容器の間に介在されるガス用バルブとを備え、液噴射機構が、原液を充填した液容器と、液噴孔と液容器との間に介在される液用バルブとを備え、ガス用バルブと液用バルブのうち一方が操作されたときに同時に他方を操作するための連動機構を備え、前記ガス容器の中に液噴射機構が収容されており、前記ガス噴射機構のガスの圧力により液噴射機構の液を加圧し、その圧力で液を噴射することを特徴としている。
このような噴霧製品では、ガス噴射機構から噴射されるガス流速の初速が音速であるものが好ましい（請求項２）。
【０００８】
また、前記ガス用バルブおよび液用バルブを操作する押しボタンを備えており、その押しボタンに、ガスを噴射するガス噴孔が複数個設けられ、液を噴射する液噴孔がそれらのガス噴孔の間に設けられているものが好ましい（請求項３）。
さらに、前記液容器が可塑性のある内袋であるものが好ましい（請求項４）。
また、前記液容器に、その容積を可変とするピストンが設けられており、そのピストンがガス容器と液容器との間で圧力伝達が可能な隔壁とされているものが好ましい（請求項５）。
さらに、前記ガス用バルブは上方に付勢されたステムにより通常は閉じられ、下方に操作することにより開けられ、前記液用バルブは上方に付勢された弁体により通常は閉じられ、下方に操作されることにより開けられ、前記連動機構が、ステムを下方に操作することにより、そのステムの下端が液用バルブの弁体を下方に操作するものであるものが好ましい（請求項６）。
また、液噴射機構の液通路の一部に、噴射量を抑制する機構を設けるのが好ましい（請求項７）。
さらに、前記液噴口に原液用ノズルが設けられており、その原液用ノズルの先端中央に噴口が形成され、その噴口の内部側に液流れを案内する突起ないし溝が形成され、それら突起ないし溝が渦流れを生じさせるべく中心部がずれた放射状に配置されているものが好ましい（請求項８）。
また、前記ガス容器に充填されているガスが液化ガスであるものが好ましい（請求項９）。
【０００９】
【作用および発明の効果】
本発明の噴霧製品では、ガス噴射機構からガスを噴射させながら液噴射機構から霧状の液を噴射させると、液はガス流に乗って配送・散布される。このように本発明の噴霧製品では、液の噴霧とその拡散とを別個に行っているので、ガス流自体は液を噴射させる必要がない。すなわち、ガス流は通常のエアゾール装置のように液や粉体などの抵抗を受けることがなく、スムーズに安定して噴射される。さらにガスの分子は液の微粒子に比してきわめて小さく、質量も小さいため、すぐに大気中へ拡散し、ガスの拡散に伴って、液の微粒子もただちに大気中に拡散する。他方、液の微粒子については、所望のサイズ、量、噴射速度に比較的自由に設定することができる。すなわち、霧状の液の噴射の勢いがある程度大きい場合でも、ガス流に乗ることにより減速され、全体として穏やかな噴霧の放散が実現される。このように本発明の噴霧製品は、ガスボンベや酸素供給設備などの大がかりな設備を用いなくても、従来のエアゾール装置とほぼ同等な簡易な装置により、安定して、微量な原液をソフトに噴射することができる。
また、前述のガス用バルブと液用バルブとを連動操作する連動機構を設けているので、１個のバルブを操作するだけで噴霧の放出ができ、操作が容易である。さらに、ガス容器の中に液噴射機構を収容しているので、通常のエアゾール装置と同様に扱え、取り扱いが容易である。また、ガス噴射機構のガスの圧力により液噴射機構の液を加圧し、その圧力で液を噴射させるようにしているので、液噴射機構の構成が簡単になる。
【００１０】
前記ガス噴射機構から噴射されるガス流速の初速が音速の場合（請求項２）は、内圧の減少に関わらず、噴射量がほぼ一定である。
また、前記ガス用バルブおよび液用バルブを操作する押しボタンを備えており、その押しボタンに、ガス噴孔を複数個設け、液噴孔をそれらの間に設ける場合（請求項３）は、ガス噴孔から出てくるガスの流れで液噴孔から出てくる霧状の液を包み込むようにして空気中に放散する。そのため一層安定した放散作用を奏することができる。さらにガス噴孔と液噴孔の位置関係により、液の拡散状態を変えることができる。
【００１１】
さらに、前記液容器が可塑性のある内袋である場合（請求項４）および前記液容器に、その容積を可変とするピストンが設けられており、そのピストンがガス容器と液容器との間で圧力伝達が可能な隔壁とされている場合（請求項５）は、ガスの圧力により液噴射機構の液を加圧し、その圧力で液を噴射させることができる。
また、前記ガス用バルブは上方に付勢されたステムにより通常は閉じられ、下方に操作することにより開けられ、前記液用バルブは上方に付勢された弁体により通常は閉じられ、下方に操作されることにより開けられ、前記連動機構が、ステムを下方に操作することにより、そのステムの下端が液用バルブの弁体を下方に操作するものである場合（請求項６）は、１個のバルブを操作するだけで噴霧の放出ができるので、操作が容易である。
さらに、液噴射機構の液通路に噴射量を抑制する機構を設けた場合（請求項７）には、使いすぎを防止することができる。そのため、とくに医薬品や医薬部外品などの使用量に上限が設けられている製品において好適に用いられる。
また、前記液噴口に原液用ノズルが設けられており、その原液用ノズルの先端中央に噴口が形成され、その噴口の内部側に液流れを案内する突起ないし溝が形成され、それら突起ないし溝が渦流れを生じさせるべく中心部がずれた放射状に配置されている場合（請求項８）は、原液を霧状に噴射しやすい。
さらに、前記ガス容器に充填されているガスが液化ガスである場合（請求項９）は、液と液化ガスとが別個の通路、噴孔を介して噴射されるので、ソフトに噴射できる。
【００１２】
【発明の実施の形態】
つぎに図面を参照しながら本発明の噴霧製品の実施形態を説明する。図１は本発明の噴霧製品の一実施形態を示す正面断面図、図２はその要部拡大側面断面図、図３はその噴霧製品の使用状態を模式的に示す平面図、図４は図２のＮの部分の拡大断面図、図５は図２の要部拡大断面図、図６ａは本発明に関わる流量抑制部材を設けた液通路の実施形態を示す断面図、図６ｂはその流路抑制部材の拡大断面図、図７、図８ａおよび図８ｂはそれぞれ本発明に関わる流路抑制部材の他の実施形態を示す斜視図、図９は本発明の噴霧製品の他の実施形態を示す正面断面図、図１０は本発明の範囲外の噴霧装置を示す正面断面図、図１１ａおよび図１１ｂは実施例の噴霧製品の噴霧状態を示す概略側面図、図１１ｃは比較例の噴霧製品の噴霧状態を示す概略側面図である。
【００１３】
図１に示す噴霧製品Ａは、ガスを噴射するための外部エアゾール装置１と、その中に収容されている原液噴射用の内部エアゾール装置２とからなる二重構造にされている。外部エアゾール装置１は、容器本体４と、その上端開口部にバルブ５を取り付けて密閉するためのマウンティングカップ６とを備えている。バルブ５のステム７の上端には、押しボタン８が嵌着されている。
【００１４】
内部エアゾール装置２は、内部容器１０と、その上端開口部にバルブ１１を取り付けて密閉するためのマウンティングカップ１２と、内部容器１０のビード部１０ａとマウンティングカップ１２の間に吊り下げられている可撓性の内袋１３とを備えている。内部エアゾール装置２は、たとえばそのマウンティングカップ１２を、外部エアゾール装置１のハウジング取り付けた可撓性を有する吊り部材１４に吊り下げることにより、容器本体４内に保持させることができる。
【００１５】
容器本体４および内部容器１０は通常はそれぞれ金属薄板製の缶などで構成しうる。しかし合成樹脂、ガラスなどの他の素材からも製造しうる。マウンティングカップ６、１２も通常は金属薄板をプレス成形することにより製造しうる。しかし合成樹脂などであってもよい。内袋１３は合成樹脂シート、金属箔、その他従来より二重エアゾール装置の内袋として用いられているものを使用することができる。
【００１６】
上記の内部容器１０の底部には、容器本体４の内部と内部容器１０の内部とを連通する孔１５が形成されている。容器本体４の内部にはたとえば空気、窒素、炭酸ガス、笑気ガスなどの圧縮ガスや、液化石油ガス、ジメチルエーテル、各種フロン類などの液化ガスが充填されている。液化ガスを用いる場合には、ベーパーのみを噴射する構造を採用するのが好ましい。そして内袋１３の内部には、本来噴射させるべき薬液、たとえば洗鼻薬、点耳薬、口腔用薬剤、消炎鎮痛剤、傷薬、制汗剤、殺菌消毒剤、化粧液、クレンジング液、保湿液などを充填している。容器内の圧力は、ゲージ圧で０．３〜１．０M Ｐａ程度、さらに好ましくは０．４〜０．８M Ｐａ程度とする。すなわち絶対圧で内圧をＰとし、大気圧をＰ0 とするとき、本実施形態では、Ｐ0 ／Ｐが臨界圧力比Ｐc ／Ｐよりも常に小さくなるように設定して、ガス噴射おけるガス流速の初速が音速を維持するようにしている。なお常にＰ0 ／Ｐ＜Ｐc ／Ｐとなる条件は、液を噴射できなくなった状態（使いきった状態）でも、Ｐが０．２M Ｐa 以上である。
【００１７】
図２は外部エアゾール装置１および内部エアゾール装置２のそれぞれのバルブ５、１１を示している。外部エアゾール装置１のバルブ５は、基本的には従来のバルブと同じであり、マウンティングカップ６の中央部に保持されるカップ状のハウジング１６と、ハウジング１６の上面凹部に収容され、ハウジングとマウンティングカップの間に介在される円環状のバルブラバー１７と、ハウジング１６内に上下に摺動自在に収容された前述のステム７と、ステム７を常時上向きに付勢するバネ１９とを備えている。ハウジング１６は、その底面にステム７の下部を摺動自在に通すための底孔１６ａを有することを除けば、従来のハウジングと実質的に同じである。なおガスは底孔１６ａとステム７の隙間からハウジング１６内に入るが、ハウジング１６の側面に孔１６ｂや隙間を設けてもよい。
【００１８】
ステム７の上端はバルブラバー１７およびマウンティングカップ６を貫通して上方に延びている。他方、その下端はハウジング１６の底孔１６ａを通って下方に延び、内部エアゾール装置２のバルブ１１を操作するべく、弁体３２に当接している。さらにステム７の上下方向の中央部に環状のフランジ部２０が設けられ、前記バネ１９はステムの下部を取り囲むようにして、そのフランジ部２０の下面とハウジング１６の内底面の間に介在されている。またフランジ部２０はステム７が上方に抜けないようにするストッパの機能をも有する。
【００１９】
本実施形態ではさらにステム７の上端から下端まで、その中心に沿って原液を通す液通路２１が形成されており、ステム７の上端から中央部にかけて、ガスを通すためのガス通路２２が形成されている。ガス通路２２は本実施形態では液通路２１を囲む断面円環状の形態を呈し、その下端近辺に形成された横孔２３によってステム７の表面と連通している。なおガス通路２２は、液通路２１と平行に延びる１本の孔であってもよい。前記ステム７のフランジ部２０の上部には、バルブラバー１７と係合する環状溝２４が形成され、前記横孔２３はその環状溝２４の底部で開口している。
【００２０】
上記の外部エアゾール装置１のバルブ５は、ガス通路２２とハウジング１６の内部の間の連通を開閉し、それにより容器本体４の内部と外部とを開閉するものである。すなわちバネ１９の付勢力でステム７が上昇しているときは、バルブラバー１７の内面が横孔２３をシールしているので、ガスは遮断されている。そしてステム７を下降させると、通常のエアゾール装置と同じく、バルブラバー１７の内縁部が下向きに湾曲され、横孔２３が開放されて、ガスの内外の通路が連通し、外部に流出する。
【００２１】
ステム７の上端に嵌着されている押しボタン８の下部には、ステム７の液通路２１と連通する１本の原液用の送出孔２６が形成され、その他端側は、原液用ノズル２７の噴孔と連通している。さらに前記送出孔２６と平行に４本のガス送出孔２８が形成されており、その下部側はステム７のガス通路２２と連通し、他端側は図１に示すように、原液用ノズル２７を囲むように配列されて外部に開口するガス用ノズル２９となっている。
【００２２】
他方、内部エアゾール装置２のバルブ１１は、マウンティングカップ１２の中央部に保持されるカップ状のハウジング３０と、そのハウジング３０の上面凹部に収容され、ハウジングとマウンティングカップの間に介在される円環状のバルブラバー３１と、ハウジング３０内に上下に摺動自在に収容された弁体３２と、弁体３２を常時上向きに付勢するバネ３３とを備えている。ハウジング３０の底面には原液を通すための孔３０ａが形成されている。なお弁体３２はバルブのステムのフランジ部に相当するものであるが、外部エアゾール装置１のバルブ６の場合のように上部に突出する部分や環状溝がなく、上面は平坦である。すなわち通常のステムの上部に突出する部分の作用は、外部エアゾール装置１のバルブ５のステム７、とくにその液通路２１により奏される。
【００２３】
外部エアゾール装置１のステム７の下端は原液用のバルブ１１の弁体３２と当接しており、その下端付近には、液をステムの流通路２１に導入するための横孔２１ａが設けられている。その横孔２１ａは、押しボタン８を押していない状態では、原液用バルブのバルブラバー３１の内面と気密に嵌合し、シールされている。
【００２４】
この内部エアゾール装置２のバルブ１１は、ステム７の上下動に同調して弁体３２が上下動する。そして弁体３２が上昇しているときは、弁体３２の上面がバルブラバー３１の下面と密接するので、原液は外部に漏れない。ついでステム７が下方に押し込まれると、弁体３２が下降し、弁体３２とバルブラバー３１の間に隙間ができ、その隙間によりハウジング３０内とステム７の液通路２１とが連通する。そのため内袋１３を通してガスにより加圧されている原液がステム７の液通路２１を通って原液用ノズル２７より噴射する。
【００２５】
したがって押しボタンを８を押し込むと、図３に示すように、周囲のガス用ノズルの噴孔２９ａからガスＧが噴射されると同時に、原液用ノズルの噴孔２７ａから原液Ｌが霧状に噴射される。そして霧状の原液Ｌは、周囲のガスＧの流れに包まれるようにして、そのガスの流れに乗って噴霧される。このようにガスの速度や流量と、原液の速度や流量は、別個の噴射機構により噴射するので、それぞれ適切な原液の流量を維持しながら、しかも比較的遅い速度で噴霧することも可能である。したがってたとえば傷口や喉などの粘膜に薬剤などを噴霧するとき、柔らかな感触を与えることができる。
【００２６】
図４はガス用ノズル２９の一実施形態を示すものである。このものはガス送出孔２８の端部が円錐状に先細に縮径しており、さらにその先端の開口部（噴孔）２９ａの径が小さくされている。ガス送出孔２８の径がたとえば０．８〜２．０mm程度のとき、噴孔２９ａの内径は０．０５〜０．７mm程度、とくに０．１〜０．６mm程度が好ましい。また噴孔２９ａの長さは０．１〜２．０mm程度が好ましい。円錐状の部分３４の頂角は６０〜１２０゜程度が好ましい。このような円錐状の内面を有するガス用ノズル２９は、矢印Ｐのようにガス流が拡がりながら噴射されるので、空気中に広く液を拡散させることができる。また、その円錐状の部分にスクリューを設けると、ガスが渦流となり、液を一層拡散させやすくなる作用効果がある。
【００２７】
図５ａおよび図５ｂは原液用ノズル２７の好ましい実施形態を示している。この原液用ノズル２７は、先端中央に形成した比較的細い噴孔２７ａ  と、その噴孔の内部側に形成した流れの案内をする突起ないし溝３５からなる、いわゆるメカニカルブレークアップ機構を備えている。それらの突起ないし溝３５は噴射流によって渦流れを生じさせるべく、図５ｂのように中心部がずれた放射状に配置されている。このようなメカニカルブレークアップ機構を備えた原液用ノズル２７を用いると、原液だけ噴射する場合でも、霧状に噴射しやすい。そのため容器の内部のガス圧が低くなった場合でも、充分に霧状に噴射させることができる。
【００２８】
図６ａは図２における押しボタン８の原液を送出する送出孔２６に流量抑制部材３６を挿入した実施形態を示している。この流量抑制部材３６は、図６ｂに示すように、巻き線同士が互いに密着したコイル（バネ）３７と、その中心の空所に嵌入した円柱状のプランジャ３８とからなる。コイル３７の外径は送出孔２６の内壁に密接する大きさとしている。このような流量抑制部材３６を送出孔２６に挿入すると、原液は螺旋状に連続するコイル３７同士の隙間３６ａを通って上昇していく。そのため流路抵抗が大きく、原液の流量が大きく抑制される。そのため、液ノズル２９の噴孔から噴出する原液は、微細な液粒子の集合体となり、ソフトな肌触りの噴霧となる。そしてそのようなソフトな噴霧がガスノズルから噴出するガス噴出流に乗って運ばれる。また流量が抑制されることにより、使いすぎを防止することができる。
【００２９】
なお図６ａでは、原液用ノズル２７の後部と、縦方向の送出孔２６のそれぞれに流量抑制部材３６を挿入しているが、いずれか片方でもよい。さらにステム７の液通路２１内や、内部エアゾール装置２のバルブ１１のハウジング３０の底部の孔３０ａに流量抑制部材３６を挿入することもできる。
【００３０】
図７は流量抑制部材の他の実施形態を示している。この流量抑制部材３９は、細長い断面円状の心材４０を複数本束ねたものであり、各心材４０の隙間４１が原液の流れる流路となる。心材４０は少なくとも４本設けるのが好ましい。また心材４０の束は、緩いピッチで捻るようにしてもよい。さらに心材４０の束を合成樹脂などの外皮４２で一体にすると、取り扱いが容易である。この流量抑制部材３９についても、原液が細く長い隙間４３を通ることにより流路抵抗を受けて、その流量が抑制される。そのため、図６ａにおける押しボタン８の送出孔２６や、ステム７の液通路２１、ハウジング３０の孔３０ａなどの液が流出する通路の途中に介在させると、図６ａ、図６ｂの場合と同じ作用効果を奏する。
【００３１】
図８ａに示す流量抑制部材４４は、微細な内径の通路（マイクロキャピラリー）４５を備えた棒状の部材であり、合成樹脂の押し出し成形などにより製造しうる。この流量抑制部材４４は、図６ａのように、原液が流出する通路のいずれかに介在させて用いる。また図８ｂに示す流量抑制部材４６は表面に凹溝４７を備えた棒状の部材である。このものも合成樹脂の押し出し成形などで製造しうる。この流量抑制部材４６は、図６ａに示す原液を通す通路のいずれかに嵌入すると、その内壁４８と凹溝４７とで囲まれる空間が原液が流れる流路となる。それらの流量抑制部材４１、４３の作用効果は図６ａ、図６ｂの流量抑制部材３６と実質的に同じであり、原液をソフトに噴射させるのに役立つ。
【００３２】
図９に示す噴霧製品Ｂは、内部容器１０の中に、前述の内袋１３に代えて、ピストン４９が摺動自在に収容されている。このピストン４９は従来の二重エアゾール装置に用いられるものと同じものでよい。このようにガスを原液の噴射のプロペラントとして利用する場合は、内袋やピストンに限ることなく、原液を収容する部分とガスを収容する部分との間に、原液収容部の容積を可変とする、圧力伝達が可能な隔壁を設けていればよい。
【００３３】
さらにこの噴霧製品Ｂでは、原液用ノズル２７の周囲に３個のガス用ノズル２９が設けられている。このようにガス用ノズル２９の個数は任意に選択することができ、場合により１個であってもよい。ただし通常は２〜１０個程度、好ましくは３〜８個程度とする。なお図９の実施形態における符号１４は、内部エアゾール装置のマウンティングカップを外部エアゾール装置のバルブに吊るための吊り部材である。
【００３４】
前述の実施形態では原液用のエアゾール装置２をガス用のエアゾール装置１の内部に収容しているが、本発明の範囲外であるが、図１０に示す噴霧製品Ｃのように、ガス用のエアゾール装置１の外部に並列的に設け、原液用のエアゾール装置２のステム５０とガス用のエアゾール装置１のステム７とを共通の押しボタン５１で操作するようにしてもよい。その場合も実質的に同じ作用効果を奏する。なお図１０の噴霧製品Ｃでは、原液用のエアゾール装置２は通常の二重エアゾール装置と同じように、ガス用のエアゾール装置１とは別個のプロペラントを充填する圧縮ガス室５２を備えている。
【００３５】
【実施例】
［実施例１］  満注量５０ｍｌのアルミ製容器に満注量３５ｍｌのポリエチレン製の内袋とバルブを取り付けて液噴射機構を構成した。内袋には３０ｇの精製水を充填した。このものを満注量２００ｍｌのアルミ製容器本体に収容し、その容器本体にステム横孔径０．３ｍｍのバルブを取り付け、容器本体に０．４５ＭＰａ（２５℃、ゲージ圧）のＬＰＧを充填して図１に示すような実施例１の噴霧製品を製造した。ガス噴孔の径は０．１ｍｍで４個所、液噴孔の径は０．３mmとし、ガス噴孔を液噴孔を上下左右から囲む位置に設けた。
【００３６】
［実施例２］  ガス液噴孔の径を０．２ｍｍとすると共に、液噴射機構に噴出量抑制機構を設けた以外は実施例１と同じにしたものを実施例２の噴霧製品とした。
【００３７】
［比較例１］  満注量２００ｍｌのアルミ製容器に精製水１２０ｇを充填し、バルブをクリンプした後、窒素ガスを内圧が０．４５ＭＰａ（ゲージ圧）となるように充填して比較例１の噴霧製品を製造した。なおバルブのステム孔は内径０．３ｍｍとした。
【００３８】
上記の実施例１〜２および比較例１の噴霧製品について、噴霧パターンなどを比較した結果を表２および図１１に示す。
【００３９】
【表２】
0004343314.tif 000003
【００４０】
表２および図１１ａ、図１１ｂから分かるように、実施例１および実施例２の噴霧製品では、噴孔から近い位置から広く拡がり、最大到達距離が短い。逆に図１１ｃに示すように、比較例１の製品では、拡がり角度が小さく、遠くまで到達することが分かる。これは、実施例１〜２の製品ではガスと水を別々の噴孔から噴射しているため、ガスの拡散が速く、ガス流によって運ばれる精製水全体の噴霧状態は柔らかくなったためと考えられる。一方、比較例の製品では、水だけがガス圧により押し出された状態で噴射されるため、拡散が小さく、飛距離が長くなったためと考えられる。実際に使用者の体感テストでも、実施例１〜２の製品では、近くから噴射しても穏やかで柔らかな噴霧が体感され、比較例の製品に比して使用感が優れていた。
【図面の簡単な説明】
【図１】  本発明の噴霧製品の一実施形態を示す正面断面図である。
【図２】  その噴霧製品の要部拡大側面断面図である。
【図３】  図１の噴霧製品の使用状態を模式的に示す平面図である。
【図４】  図２のＮの部分の拡大断面図である。
【図５】  図２の要部拡大断面図である。
【図６】  図６ａは本発明に関わる流量抑制部材を設けた液通路の実施形態を示す断面図、図６ｂはその流路抑制部材の拡大断面図である。
【図７】  本発明に関わる流路抑制部材の他の実施形態を示す斜視図である。
【図８】  図８ａおよび図８ｂはそれぞれ本発明に関わる流路抑制部材の他の実施形態を示す斜視図である。
【図９】  本発明の噴霧製品の他の実施形態を示す正面断面図である。
【図１０】  本発明の範囲外の噴霧製品の例を示す正面断面図である。
【図１１】  図１１ａおよび図１１ｂは実施例の噴霧製品の噴霧状態を示す概略側面図であり、図１１ｃは比較例の噴霧製品の噴霧状態を示す概略側面図である。
【符号の説明】
Ａ  噴霧製品
１  外部エアゾール装置（ガス用エアゾール装置）
２  内部エアゾール装置（原液用エアゾール装置）
４  容器本体
５  バルブ
６  マウンティングカップ
７  ステム
８  押しボタン
１０  内部容器
１１  バルブ
１２  マウンティングカップ
１３  内袋
１４  吊り部材
１９  バネ
２１  液通路
２２  ガス通路
２３  横孔
２６  送出孔
２７  原液用ノズル
２７ａ  噴孔
２８  ガス送出孔
２９  ガス用ノズル
２９ａ  噴孔
３０  ハウジング
３１  バルブラバー
３２  弁体
３３  バネ
３４  円錐状の部分
３６  流量抑制部材
３６ａ  隙間
３７  コイル
３８  プランジャ
３９  流量抑制部材
４０  心材
４１  隙間
４２  外皮
４３  隙間
４４  流量抑制部材
４５  通路
４６  流量抑制部材
４７  凹溝
４８  内壁
Ｂ  噴霧製品
４９  ピストン
Ｃ  噴霧製品
５０  ステム
５１  押しボタン
５２  圧縮ガス室
【図１】
0004343314.tif 000004
【図２】
0004343314.tif 000005
【図３】
0004343314.tif 000006
【図４】
0004343314.tif 000007
【図５】
0004343314.tif 000008
【図６】
0004343314.tif 000009
【図７】
0004343314.tif 000010
【図８】
0004343314.tif 000011
【図９】
0004343314.tif 000012
【図１０】
0004343314.tif 000013
【図１１】
0004343314.tif 000014